(57)【要約】【課題】  医療機器の駆動設定値の設定ミスを防止することを可能とする。【解決手段】  スケジュール確認部１６は、スケジューリングデータベース２に格納されたスケジュール情報を参照して実施するべき医療行為を判定する。リスト取得部１７は、上記の医療行為で使用される医療機器７の適切な駆動設定値を判定する。イベント情報取得部２０は、医療機器７に設定された駆動設定値を示したイベント情報を取得する。設定監視部２１は、上記の取得された駆動設定値と上記の適切な駆動設定値とに基づいて駆動設定値の設定状況を監視する。【選択図】      図１
2006149443.tif 000002
【特許請求の範囲】
【請求項１】
実施するべき医療行為を判定する手段と、
前記医療行為で使用される医療機器の標準駆動設定値を判定する手段と、
前記医療機器に設定された駆動設定値を取得する取得手段と、
前記標準駆動設定値と取得された前記駆動設定値とに基づいて前記駆動設定値の設定状況を監視する監視手段とを具備したことを特徴とする医療機器設定管理システム。
【請求項２】
前記標準駆動設定値を提示する手段をさらに備えることを特徴とする請求項１に記載の医療機器設定管理システム。
【請求項３】
前記取得手段は、人為的に入力される前記駆動設定値を取得することを特徴とする請求項１に記載の医療機器設定管理システム。
【請求項４】
前記取得手段は、前記医療機器から前記駆動設定値を取得することを特徴とする請求項１に記載の医療機器設定管理システム。
【請求項５】
前記標準駆動設定値を前記医療機器に自動設定する手段をさらに備えることを特徴とする請求項１に記載の医療機器設定管理システム。
【請求項６】
前記監視手段は、取得された全ての前記標準駆動設定値に対応する駆動設定値が取得されたか否かに基づいて、前記医療行為で使用される前記医療機器の全てに駆動設定値が設定されたか否かを監視することを特徴とする請求項１に記載の医療機器設定管理システム。
【請求項７】
前記監視手段により前記医療行為で使用される前記医療機器の全てに駆動設定値が設定されていないと判定されている状態で前記医療行為が開始されたことに応じて警報を発する手段をさらに備えることを特徴とする請求項６に記載の医療機器設定管理システム。
【請求項８】
前記監視手段は、設定された前記駆動設定値が前記標準駆動設定値により定まる許容範囲内であるか否かを監視することを特徴とする請求項１に記載の医療機器設定管理システム。
【請求項９】
前記監視手段により設定された前記駆動設定値が前記標準駆動設定値により定まる許容範囲外であると判定されたことに応じて警報を発する手段をさらに備えることを特徴とする請求項８に記載の医療機器設定管理システム。
【請求項１０】
医療行為で使用される複数の医療機器に前記医療行為に際して設定された駆動設定値を収集する収集手段と、
収集された前記駆動設定値を含んだ履歴情報を作成する作成手段とを具備したことを特徴とする医療機器設定管理システム。
【請求項１１】
前記収集手段は、前記駆動設定値の設定に関わる設定時刻情報、設定者識別情報およびエラー検出情報のうちの少なくとも１つを収集し、
かつ前記作成手段は、前記設定時刻情報、前記設定者識別情報および前記エラー検出情報のうちの収集された情報を前記履歴情報に含めることを特徴とする請求項１０に記載の医療機器設定管理システム。
【請求項１２】
実施するべき医療行為を判定する手段と、
前記医療行為で使用される医療機器の標準駆動設定値を判定する手段と、
前記医療機器に設定された駆動設定値を取得する取得手段と、
前記標準駆動設定値と取得された前記駆動設定値とに基づいて前記駆動設定値の設定状況を監視する監視手段とを具備したことを特徴とする医療機器設定管理端末。
【請求項１３】
前記標準駆動設定値を提示する手段をさらに備えることを特徴とする請求項１２に記載の医療機器設定管理端末。
【請求項１４】
前記取得手段は、人為的に入力される前記駆動設定値を取得することを特徴とする請求項１２に記載の医療機器設定管理端末。
【請求項１５】
前記取得手段は、前記医療機器から前記駆動設定値を取得することを特徴とする請求項１２に記載の医療機器設定管理端末。
【請求項１６】
前記標準駆動設定値を前記医療機器に自動設定する手段をさらに備えることを特徴とする請求項１２に記載の医療機器設定管理端末。
【請求項１７】
前記監視手段は、取得された全ての前記標準駆動設定値に対応する駆動設定値が取得されたか否かに基づいて、前記医療行為で使用される前記医療機器の全てに駆動設定値が設定されたか否かを監視することを特徴とする請求項１２に記載の医療機器設定管理端末。
【請求項１８】
前記監視手段により前記医療行為で使用される前記医療機器の全てに駆動設定値が設定されていないと判定されている状態で前記医療行為が開始されたことに応じて警報を発する手段をさらに備えることを特徴とする請求項１７に記載の医療機器設定管理端末。
【請求項１９】
前記監視手段は、設定された前記駆動設定値が前記標準駆動設定値により定まる許容範囲内であるか否かを監視することを特徴とする請求項１８に記載の医療機器設定管理端末。
【請求項２０】
前記監視手段により設定された前記駆動設定値が前記標準駆動設定値により定まる許容範囲外であると判定されたことに応じて警報を発する手段をさらに備えることを特徴とする請求項１９に記載の医療機器設定管理端末。
【発明の詳細な説明】
【技術分野】
【０００１】
本発明は、手術等の医療行為で使用される医療機器への駆動設定値の設定状況を監視する医療機器設定管理システムおよび医療機器設定管理端末に関する。
【背景技術】
【０００２】
手術などの医療行為に際しては、さまざまな医療機器が使用される。この種の医療機器としては、超音波診断装置、電気メス、麻酔器などがある。この種の医療機器は、その動作条件を決める駆動設定値が可変であることが多い。そして駆動設定値は、術者や補助医療スタッフなどの操作者によって任意に調整される。
【０００３】
一方、一部の医療機器には、操作者により登録が要求された駆動設定値を記憶しておく機能が備えられている。例えば特許文献１には、エキスパートプランに記述されたパラメータを使用した撮影を自動的に行うＸ線ＣＴ装置が開示されている。しかし、このような機能を持たない医療機器についての駆動設定値は、操作者がメモすることによって記録されている。
【特許文献１】特開平３−２８４２４９号公報
【発明の開示】
【発明が解決しようとする課題】
【０００４】
ところで、最適な駆動設定値は、適用される術式などに応じて異なる。操作者は医療機器の特性を十分に認識した上で駆動設定値を適切に調整する必要があるため、操作者のスキル不足や不注意により設定ミスが生じる恐れがあった。
【０００５】
また、医療機器の記憶機能を利用した記録やメモによる記録は、操作者が適切であると考えた駆動設定値を、将来の同様の医療行為の際に再使用するために行われるのであって、操作者が必要と判断した限られた駆動設定値のみが記録されるに過ぎない。このため、記録されなかった駆動設定値については、事後に確認することができなかった。
【０００６】
本発明はこのような事情を考慮してなされたものであり、その目的とするところは第１に、医療機器の駆動設定値の設定ミスを防止することを可能とする医療機器設定管理システムおよび医療機器設定管理端末を提供することにある。
【０００７】
また本発明の目的とするところは第２に、過去に実施された医療行為における駆動設定値の設定状況を事後確認することを可能とする医療機器設定管理システムを提供することにある。
【課題を解決するための手段】
【０００８】
前記第１の目的を達成するために第１の本発明は、実施するべき医療行為を判定する手段と、前記医療行為で使用される医療機器の標準駆動設定値を判定する手段と、前記医療機器に設定された駆動設定値を取得する取得手段と、前記標準駆動設定値と取得された前記駆動設定値とに基づいて前記駆動設定値の設定状況を監視する監視手段とを備えて医療機器設定管理システムを構成した。
【０００９】
前記第１の目的を達成するために第２の本発明は、実施するべき医療行為を判定する手段と、前記医療行為で使用される医療機器の標準駆動設定値を判定する手段と、前記医療機器に設定された駆動設定値を取得する取得手段と、前記標準駆動設定値と取得された前記駆動設定値とに基づいて前記駆動設定値の設定状況を監視する監視手段とを備えて医療機器設定管理端末を構成した。
【００１０】
前記第２の目的を達成するために第３の本発明は、医療行為で使用される複数の医療機器に前記医療行為に際して設定された駆動設定値を収集する収集手段と、収集された前記駆動設定値を含んだ履歴情報を作成する作成手段とを備えて医療機器設定管理システムを構成した。
【発明の効果】
【００１１】
第１および第２の本発明によれば、医療機器の駆動設定値の設定ミスを防止することが可能となる。
【００１２】
第３の本発明によれば、過去に実施された医療行為における駆動設定値の設定状況を事後確認することを可能となる。
【発明を実施するための最良の形態】
【００１３】
以下、図面を参照して本発明の一実施形態について説明する。  
図１は本実施形態に係る医療機器設定管理システムの構成を示す図である。この医療機器設定管理システムは、医療機器設定管理端末１、スケジューリングデータベース２、設定情報データベース３、操作記録装置４および履歴データベース５を含む。
【００１４】
医療機器設定管理端末１、スケジューリングデータベース２、設定情報データベース３および操作記録装置４は、それぞれＬＡＮ（Local Area Network）などの通信ネットワーク６に接続される。履歴データベース５は、操作記録装置４に接続される。
【００１５】
医療機器設定管理端末１は、手術室等の医療現場において、手術、診断、投薬、治療、リハビリテーションなどの等の医療行為に使用される複数の医療機器７への駆動設定値の設定状況を管理する。
【００１６】
スケジューリングデータベース２は、医療行為のスケジュール情報が記憶されている。スケジュール情報は、例えば手術に係わるものでは、例えば患者情報、手術対象臓器、術式および実施日時などの情報を含む。スケジューリングデータベース２には、過去分および将来分のいずれのスケジュール情報も記憶される。
【００１７】
設定情報データベース３は、複数の医療行為のそれぞれに対応付けて設定項目リストを記憶している。設定項目リストは、各医療行為で使用する医療機器と、それらの医療機器の適正な駆動設定値（標準駆動設定値）とを示すデータである。
【００１８】
操作記録装置４は、医療行為の中での医療機器への駆動設定値の設定状況を示す履歴データを作成する。
【００１９】
履歴データベース５は、上記の履歴データを記憶する。
【００２０】
さて医療機器設定管理端末１は図１に示すように、ネットワーク通信部１１、医療機器通信部１２、鳴動部１３、表示部１４、入力部１５、スケジュール確認部１６、リスト取得部１７、リスト提示部１８、設定部１９、イベント情報取得部２０、設定監視部２１、警告部２２、イベント情報送信部２３および記録制御部２４を含む。
【００２１】
ネットワーク通信部１１は、通信ネットワーク６を介してスケジューリングデータベース２、設定情報データベース３または操作記録装置４と通信するための処理を行う。ネットワーク通信部１１としては、例えば有線ＬＡＮ通信回路や、無線ＬＡＮ通信回路といった既存の回路を適用することができる。医療機器通信部１２は、通信機能を備えた医療機器７と通信するための処理を行う。医療機器通信部１２としては、例えば有線ＬＡＮ通信回路、無線ＬＡＮ通信回路、赤外線通信回路、Bluetooth（登録商標）通信回路、あるいはＲＳ−２３２ＣやＵＳＢ（Universal Serial Bus）のような有線通信回路などの既存の回路を適用することができる。なお医療機器通信部１２は、複数の医療機器７を識別するために、通信相手となる医療機器７に応じて使用周波数を変える機能や、識別信号を用いて各医療機器７を区別する機能を持つことが望ましい。
【００２２】
鳴動部１３は、警報音などを出力するための鳴動を行う。鳴動部１３としては、例えば電子ブザーなどを適用することができる。表示部１４は、各種の情報を可視表示する。表示部１４としては、例えば液晶表示器および発光ダイオードなどを適用することができる。入力部１５は、操作者による人為的な入力操作を受け付けて任意の情報を入力する。入力部１５としては、例えばキースイッチやタッチパネルなどを適用することができる。
【００２３】
スケジュール確認部１６、リスト取得部１７、リスト提示部１８、設定部１９、イベント情報取得部２０、設定監視部２１、警告部２２、イベント情報送信部２３および記録制御部２４は、プロセッサにプログラムを実行させることにより実現することができる。あるいは、上記の各部は、その一部または全てをロジック回路などのハードウェアにより実現することも可能である。また上記の各部のそれぞれは、ハードウェアとソフトウェア制御とを組み合わせて実現することも可能である。
【００２４】
スケジュール確認部１６は、入力部１５におけるユーザ操作に応じて、スケジューリングデータベース２からスケジュール情報を取得する。リスト取得部１７は、スケジュール確認部１６により取得されたスケジュール情報に基づいて、設定情報データベース３から設定項目リストを取得する。リスト提示部１８は、リスト取得部１７により取得された設定項目リストの内容を示した提示画像を表示部１４に表示させる。
【００２５】
設定部１９は、リスト取得部１７により取得された設定項目リストに示された医療機器のうちで通信機能を有するものと医療機器通信部１２を使用して通信し、上記の設定項目リストに示された駆動設定値を自動設定する。設定部１９は、駆動設定値の自動設定を行った場合、それに関するイベント情報をイベント情報取得部２０へ出力する。医療機器７への駆動設定値の設定が医師や医療スタッフにより手動で行われることもある。このような場合には、入力部１５からイベント情報の入力が行われる。通信機能を有する医療機器７は、イベント情報の送信機能を有するものがある。この種の医療機器７は、駆動設定値の設定が行われた場合に、それに関するイベント情報を医療機器設定管理端末１に向けて送信する。この医療機器７から送信されたイベント情報は、医療機器通信部１２を介してイベント情報取得部２０に入力される。イベント情報取得部２０は、医療機器通信部１２、入力部１５または設定部１９から出力されるイベント情報を取得する。
【００２６】
設定監視部２１は、リスト取得部１７で取得された設定項目リストとイベント情報取得部２０で取得されたイベント情報とを比較することで、駆動設定値の設定状況を監視する。設定監視部２１は、何らかのエラーを検出した場合には、警告部２２に警告の発生を指示するとともに、エラー発生に関するイベント情報をイベント情報送信部２３へ出力する。警告部２２は、設定監視部２１からの指示に応じて、警報を発するように鳴動部１３や表示部１４を駆動する。
【００２７】
イベント情報送信部２３は、イベント情報取得部２０で取得されたイベント情報や設定監視部２１から出力されたイベント情報を、ネットワーク通信部１１および通信ネットワーク６を介して操作記録装置４へ送信する。
【００２８】
記録制御部２４は、入力部１５での特定の操作をトリガとして、操作記録装置４における履歴データの記録の開始・終了を制御する。
【００２９】
図２は図１中の医療機器設定管理端末１の外観の一例を示す図である。なお、図２において図１と同一の要素には同一符号を付し、その詳細な説明は省略する。
【００３０】
医療機器設定管理端末１は、例えば図２に示すような形態のハンディ端末として実現される。この医療機器設定管理端末１の前面には、表示部１４や入力部１５が配置される。なお図２では、入力部１５に属する選択ボタン１５ａ、決定ボタン１５ｂおよび入力キー１５ｃを図示している。
【００３１】
また医療機器設定管理端末１の側面には、拡張スロット２５、アンテナ２６およびケーブル接続部２７が配置される。拡張スロット２５は、機能拡張のためのＰＣカードなどを装着する。なお、図１ではＰＣカードなどのインタフェース部は図示を省略している。アンテナ２６は、ネットワーク通信部１１または医療機器通信部１２が無線通信を行う場合に使用される。ケーブル接続部２７は、ネットワーク通信部１１または医療機器通信部１２が有線通信を行う場合に通信ケーブルが装着される。
【００３２】
次に以上のように構成された医療機器設定管理システムの動作について説明する。なおここでは、手術室において行われる手術で使用される医療機器の管理を行う場合を例にとる。
【００３３】
手術を行う場合、術者は術式を決定し、病院内のカンファレンスにおいて手術計画を立てる。この際に術者は、スケジューリングデータベース２に記憶された過去の手術に関するスケジュール情報を参照して、最適な手術条件の絞り込みを行うこともある。このような手術条件の絞り込みは、自動で行われても良い。そして手術計画が決定したならば、術者または医療スタッフによって、その手術計画の内容に応じた新たなスケジュール情報がスケジューリングデータベース２に登録される。なお、スケジューリングデータベース２は、設定情報データベース３とリンクしていてもよい。設定情報データベース３には例えば過去に当病院で行ったか否かに関わらずＥＢＭ（Evidence Based Medicine）等に基づく情報が保存されている。
【００３４】
手術室にて手術の準備をする医療スタッフは、医療機器設定管理端末１を起動した上で、対象となる手術（以下、実施手術と称する）を、入力部１５を用いて指定する。
【００３５】
医療機器設定管理端末１は、起動されたならば図３に示すような処理を開始する。そしてステップＳａ１においてはスケジュール確認部１６が、上記のような実施手術の指定を受け付ける。続いてステップＳａ２において医療機器設定管理端末１は、実施手術に係わる設定項目リストを取得し、この設定項目リストを医療スタッフに提示する。具体的には、まずスケジュール確認部１６が、実施手術に係わるスケジュール情報をスケジューリングデータベース２から取得し、リスト取得部１７に与える。このようなスケジュール情報の取得により、実施するべき医療行為が判定される。リスト取得部１７は、この与えられたスケジュール情報に示された術式についての設定項目リストを設定情報データベース３から取得する。このような設定項目リストの取得により、手術で使用される医療機器の適切な駆動設定値が判定される。そしてリスト提示部１８が、上記の取得された設定項目リストの内容を表示部１４に表示させる。医療機器設定管理端末１にプリンタを備えるか、あるいは外部のプリンタのインタフェース回路を備えておき、上記の設定項目リストをプリントアウトすることにより医療スタッフに提示しても良い。
【００３６】
ステップＳａ３においては記録制御部２４が、操作記録装置４に対して記録開始を要求する。こののちに医療機器設定管理端末１は、ステップＳａ４およびステップＳａ５の待ち受け状態に移行する。
【００３７】
手術準備にあたり医療スタッフは、上記のように表示部１４に表示された設定項目リストを参照しながら、このリストに示される医療機器７を手術室に搬入する。なお、手術室に常備された医療機器７もこのリストの中に含まれているとしてもよい。そして医療スタッフは、搬入し終えた医療機器７についてのイベント情報を、入力部１５を使用して入力する。このとき入力されるイベント情報には、「搬入」を示すイベントコード（イベントの種別）、イベントの内容（例えば、「医療機器Ａ搬入」など）、搬入した時刻および搬入者の識別情報を含む。これらの情報の一部は、入力部１５での手動入力によらずに、自動的に取得しても良い。例えば時刻は、イベント情報が入力された時刻を搬入した時刻として自動取得することができる。また例えば搬入者の識別情報は、搬入者が所持するＩＤカードから読み取ることができる。
【００３８】
医療機器の搬入を終了した場合、医療スタッフが入力部１５を使用して、搬入終了に係わるイベント情報を入力する。このイベント情報には、「終了」を示すイベントコード、イベントの内容（例えば、「医療機器搬入終了」など）、終了時刻および医療スタッフの識別情報を含む。この場合にイベント情報は、入力部１５からイベント情報取得部２０へ与えられる。
【００３９】
搬入し終えた医療機器７に対しては、駆動設定値を設定する。駆動設定値の設定は、例えば次のような手法により行われる。  
(1)  術者または医療スタッフが、医療機器７のコンソールから手動で駆動設定値を設定する。  
(2)  設定部１９が、設定項目リストに示された駆動設定値を、自動的に、あるいは術者または医療スタッフからの要求に応じて医療機器７へ設定する。  
(3)  入力部１５を使用して術者または医療スタッフが指定した駆動設定値を、設定部１９が医療機器７へ設定する。
【００４０】
そして、このような駆動設定値の設定に係わるイベント情報が医療機器設定管理端末１へ入力される。このときのイベント情報には、「値設定」を示すイベントコード、イベントの内容（例えば、「医療機器Ａ初期値入力」など）、設定した時刻、駆動設定値、設定者の識別情報を含む。イベント情報の入力は、例えば次のような手法により行われる。  
(1)  術者または医療スタッフが、入力部１５を使用してイベント情報を手動入力する。この場合にイベント情報は、入力部１５からイベント情報取得部２０へ与えられる。  
(2)  設定部１９が医療機器７への駆動設定値の設定を行った場合に、設定部１９がイベント情報を作成する。この場合にイベント情報は、設定部１９からイベント情報取得部２０へ与えられる。  
(3)  医療機器７が、設定された駆動設定値を医療機器設定管理端末１へ送信する。この場合にイベント情報は、医療機器通信部１２を介してイベント情報取得部２０へ与えられる。
【００４１】
各医療機器７への駆動設定値の設定を終了した場合、医療スタッフが入力部１５を使用して、設定終了に係わるイベント情報を入力する。このイベント情報には、「終了」を示すイベントコード、イベントの内容（例えば、「医療機器設定終了」など）、終了時刻および医療スタッフの識別情報を含む。この場合にイベント情報は、入力部１５からイベント情報取得部２０へ与えられる。
【００４２】
手術を開始する場合、術者または医療スタッフが入力部１５を使用して、手術開始に係わるイベント情報を入力する。このイベント情報には、「開始」を示すイベントコード、イベントの内容（例えば、「手術開始」など）、開始時刻および術者の識別情報を含む。同様に手術を終了する場合、術者または医療スタッフが入力部１５を使用して、手術終了に係わるイベント情報を入力する。このイベント情報には、「終了」を示すイベントコード、イベントの内容（例えば、「手術終了」など）、終了時刻および術者の識別情報を含む。これらのイベント情報は、入力部１５からイベント情報取得部２０へ与えられる。
【００４３】
手術の終了後、医療スタッフは医療機器７を手術室から搬出する。医療機器の搬出を終了した場合、医療スタッフが入力部１５を使用して、搬出が終了した旨を入力する。
【００４４】
そこでステップＳａ４およびステップＳａ５においては、搬出が終了した旨が入力されるか、あるいはイベント情報が入力されるのを記録制御部２４およびイベント情報取得部２０が待ち受ける。そしてイベント情報がイベント情報取得部２０へ入力されたならば、イベント情報取得部２０はステップＳａ５からステップＳａ６へ進む。ステップＳａ６においてはイベント情報取得部２０およびイベント情報送信部２３が、入力されたイベント情報を操作記録装置４へ送信する。具体的には、入力されたイベント情報をイベント情報取得部２０が取得する。取得されたイベント情報は、イベント情報取得部２０からイベント情報送信部２３に与えられる。そしてイベント情報送信部２３が、ネットワーク通信部１１および通信ネットワーク６を介して操作記録装置４へと上記のイベント情報を送信する。
【００４５】
ステップＳａ７乃至ステップＳａ８においては設定監視部２１が、上記の取得されたイベント情報が手術開始、搬出終了および値設定のいずれかに係わるものであるか否かを確認する。
【００４６】
上記の取得されたイベント情報が手術開始、搬出終了および値設定のいずれにも係わらない場合、設定監視部２１からイベント情報取得部２０への働きかけによって医療機器設定管理端末１はステップＳａ４およびステップＳａ５の待ち受け状態に戻る。すなわち、手術開始、搬出終了および値設定とは異なるイベントに係わるイベント情報が入力された場合には、医療機器設定管理端末１はそのイベント情報を操作記録装置４へ送信するのみである。
【００４７】
取得されたイベント情報が値設定に係わるものであった場合、設定監視部２１はステップＳａ８からステップＳａ９へ進む。ステップＳａ９において設定監視部２１は、イベント情報に示された駆動設定値、すなわち医療機器７に設定された駆動設定値が妥当であるか否かを確認する。これは例えば、設定項目リストに示される適正な駆動設定値と医療機器７に設定された駆動設定値とを比較することにより行われる。そして医療機器７に設定された駆動設定値が妥当である場合、設定監視部２１からイベント情報取得部２０への働きかけによって医療機器設定管理端末１はステップＳａ４およびステップＳａ５の待ち受け状態に戻る。
【００４８】
しかしながら、医療機器７に設定された駆動設定値が妥当ではない場合、設定監視部２１はステップＳａ９からステップＳａ１０へ進む。そしてステップＳａ１０においては、設定監視部２１および警告部２２が警告処理を実行する。すなわち、設定監視部２１は、警告部２２に警告の発生を指示する。これを受けて警告部２２は、鳴動部１３を駆動して警告音を発生するとともに、設定された駆動設定値が妥当ではない旨の表示（文字メッセージまたは発光）を表示部１４に行わせる。なお振動部をさらに備えて、この振動部による振動により警告を発するようにしても良い。
【００４９】
こののちにステップＳａ１１においては、設定監視部２１およびイベント情報送信部２３がエラーに係わるイベント情報を操作記録装置４へと送信する。すなわち、設定監視部２１がエラーに係わるイベント情報を作成する。このイベント情報には、「エラー」を示すイベントコード、イベントの内容（例えば、「医療機器Ｃ初期値入力エラー」など）、エラー検出時刻および設定監視部２１の識別情報を含む。そしてこのように設定監視部２１により作成されたイベント情報を、イベント情報送信部２３がネットワーク通信部１１および通信ネットワーク６を介して操作記録装置４へ送信する。こののち、設定監視部２１からイベント情報取得部２０への働きかけによって医療機器設定管理端末１はステップＳａ４およびステップＳａ５の待ち受け状態に戻る。
【００５０】
さて、入力されたイベント情報が手術開始に係わるものであった場合、設定監視部２１はステップＳａ７からステップＳａ１２へ進む。ステップＳａ１２において設定監視部２１は、リスト取得部１７で取得されている設定項目リストに示された全ての医療機器７が搬入されており、かつこれらの医療機器７の全てに駆動設定値の設定が終了しているか否かを確認する。設定が終了していないならば、設定監視部２１はステップＳａ１２からステップＳａ１３へ進む。そしてステップＳａ１３においては、設定監視部２１および警告部２２が警告処理を実行する。すなわち、設定監視部２１は、警告部２２に警告の発生を指示する。これを受けて警告部２２は、鳴動部１３を駆動して警告音を発生するとともに、駆動設定値の設定が終了していない旨の表示（文字メッセージまたは発光）を表示部１４に行わせる。なお振動部をさらに備えて、この振動部による振動により警告を発するようにしても良い。
【００５１】
こののちにステップＳａ１４においては、設定監視部２１およびイベント情報送信部２３がエラーに係わるイベント情報を操作記録装置４へと送信する。すなわち、設定監視部２１がエラーに係わるイベント情報を作成する。このイベント情報には、「エラー」を示すイベントコード、イベントの内容（例えば、「医療機器Ｃ初期値未設定」など）、エラー検出時刻および設定監視部２１の識別情報を含む。そしてこのように設定監視部２１により作成されたイベント情報を、イベント情報送信部２３がネットワーク通信部１１および通信ネットワーク６を介して操作記録装置４へ送信する。こののち、設定監視部２１からイベント情報取得部２０への働きかけによって医療機器設定管理端末１はステップＳａ４およびステップＳａ５の待ち受け状態に戻る。
【００５２】
なお、ステップＳａ１２にて設定監視部２１が、設定が終了していると判定した場合には、ステップＳａ１３およびステップＳａ１４を行うことなしに、設定監視部２１からイベント情報取得部２０への働きかけによって医療機器設定管理端末１はステップＳａ４およびステップＳａ５の待ち受け状態に戻る。  
このように、手術が開始された後にも、イベント情報の取得と、取得されたイベント情報に応じた前述のような処理が繰り返し行われる。
【００５３】
搬出が終了した旨が入力部１５にて入力された場合、記録制御部２４はステップＳａ４からステップＳａ１５へ進む。ステップＳａ１５においては記録制御部２４が、操作記録装置４に対して記録終了を要求する。そしてこれをもって、医療機器設定管理端末１は処理を終了する。
【００５４】
さて操作記録装置４は、記録開始が要求されてから記録終了が要求されるまでの間に医療機器設定管理端末１から送信されるイベント情報を収集して、これらを含んだ履歴情報を作成する。そして操作記録装置４は、作成した履歴情報を履歴データベース５に保存する。
【００５５】
履歴データベース５は、多数の履歴情報を保存管理する。履歴データベース５は、履歴情報の閲覧機能を備える。すなわち、利用者からの要求に応じて、指定された履歴情報の内容を、例えば図４に示すような画像として提示する。
【００５６】
以上のように本実施形態によれば、術者や医療スタッフは、医療機器設定管理端末１によって提示される設定項目リストを参照してさまざまな医療機器の準備（搬入および駆動設定値の設定）を行うことができるので、十分なスキルを持たない者であっても、容易に、しかも適正な作業を行うことができる。十分なスキルを持つ者が作業を行う場合であっても、ケアレスミスを防止することが可能となる。
【００５７】
また本実施形態によれば、医療機器７に設定された駆動設定値を取得して監視し、この駆動設定値が妥当な値ではない場合には警告を発する。このため、操作ミスなどにより不適切な駆動設定値が設定された場合に、これを術者や医療スタッフに認識させ、改めさせることができる。
【００５８】
また本実施形態によれば、医療機器７の搬入状況と、これら医療機器７への駆動設定値の設定の有無とを監視し、未搬入の医療機器７がある場合や、駆動設定値が未設定である医療機器７がある場合において手術が開始された場合には、その旨の警告を発する。このため、準備が不十分な状態で手術が行われてしまうことを防止することができる。
【００５９】
また本実施形態によれば、通信機能を有する医療機器７に対しては、医療機器設定管理端末１から駆動設定値の設定を行うことができる。このため、通信機能を有する医療機器７については、それらの医療機器７を個別に操作する必要がなく、医療機器設定管理端末１にて集中的に操作することができるので、術者や医療スタッフの負担が軽減される。
【００６０】
また本実施形態によれば、通信機能を有する医療機器７に設定された駆動設定値は、当該医療機器７から医療機器設定管理端末１が自動的に取得する。このため、このような医療機器７に設定した駆動設定値を医療機器設定管理端末１に入力する作業を術者や医療スタッフが行う必要が無く、術者や医療スタッフの負担が軽減される。
【００６１】
また本実施形態によれば、医療機器設定管理端末１で収集した駆動設定値を、医療機器設定管理端末１から操作記録装置４に送信する。そして操作記録装置４では、１手術などのような１回の医療行為において収集された駆動設定値を含んだ履歴情報を作成する。この履歴情報を参照することで、医療行為の際に使用された駆動設定値を事後検証することができ、新たに実施する医療行為において使用する駆動設定値の決定のためにフィードバックしたり、医療行為に係わる事実認定をしたりすることができる。なお、履歴情報は、自動あるいは手動により決められたフォームに書き換えてスケジューリングデータベース２に登録することにより、将来の手術スケジューリングの参照情報とすることも可能である。
【００６２】
この実施形態は、次のような種々の変形実施が可能である。  
医療機器設定管理端末１が有する機能は、複数の装置に分割して備えるようにしても良い。例えば、設定監視部２１の機能の全てまたは一部を操作記録装置４に設けるようにしても良い。  
履歴情報を作成する機能を、医療機器設定管理端末１に備えても良い。  
医療機器設定管理端末１が備える前述したさまざまな機能の一部は、省略することも可能である。  
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００６３】
【図１】本発明の一実施形態に係る医療機器設定管理システムの構成を示す図。
【図２】図１中の医療機器設定管理端末１の外観の一例を示す図。
【図３】図１中の医療機器設定管理端末１の処理手順を示すフローチャート。
【図４】履歴情報の閲覧を可能とするための画像の一例を示す図。
【符号の説明】
【００６４】
１…医療機器設定管理端末、２…スケジューリングデータベース、３…設定情報データベース、４…操作記録装置、５…履歴データベース、６…通信ネットワーク、７…医療機器、１１…ネットワーク通信部、１２…医療機器通信部、１３…鳴動部、１４…表示部、１５…入力部、１６…スケジュール確認部、１７…リスト取得部、１８…リスト提示部、１９…設定部、２０…イベント情報取得部、２１…設定監視部、２２…警告部、２３…イベント情報送信部、２４…記録制御部。
【図１】
2006149443.tif 000003
【図２】
2006149443.tif 000004
【図３】
2006149443.tif 000005
【図４】
2006149443.tif 000006